(57)【要約】【課題】特別な操作を必要とすることなくワンタッチで装置本体の開閉部材を開放できるようにする。【解決手段】回動自在な開閉部材２９を有する装置本体１と、開閉部材２９の閉塞動作に基づいて圧縮されて第１及び第２の印字ヘッド１０，２０を第１及び第２のプラテンローラ１１，２１に弾性的に押し付ける第１及び第２のスプリング１３，２２と、開閉部材２９を閉塞位置にロックするロック手段２８と、このロック手段２８のロックを解除する操作ボタン３１と、この操作ボタン３１によってロック手段２８のロックが解除されるのに基づいて開閉部材２９をバネ力によって開放させるトグルバネ２４と、このトグルバネ２４によって開放される開閉部材２９の開放速度を減速させる回動レバー２３とを具備することを特徴とする。【選択図】      図１
2008006683.tif 000002
【特許請求の範囲】
【請求項１】
回動自在な開閉部材を有する装置本体と、
この装置本体内に用紙搬送路を介して対向配置され、用紙の一面側に印刷する第１の印字ヘッド及び第１のプラテン、さらに用紙の他面側に印刷する第２の印字ヘッド及び第２のプラテンと、
前記開閉部材の閉塞動作に基づいて圧縮されて前記第１及び第２の印字ヘッドを前記第１及び第２のプラテンに弾性的に押し付ける第１及び第２のバネ材と、
前記開閉部材を閉塞位置にロックするロック手段と、
このロック手段のロックを解除するロック解除手段と、
このロック解除手段によって前記ロック手段のロックが解除されるのに基づいて前記開閉部材をバネ力によって開放させる開放用バネ材と、
この開放用バネ材によって開放される前記開閉部材の開放速度を減速させる減速手段と
を具備することを特徴とする印刷装置。
【請求項２】
前記ロック手段は、前記開閉部材に設けられた係止部材と、この係止部材に係脱自在に係合する回動自在なフック部材とを有し、前記ロック解除手段のロック解除動作に基づいて前記フック部材を回動させて前記フック部材と前記係止部材との係合を解除させることを特徴とする請求項１記載の印刷装置。
【請求項３】
前記第１のプラテンは前記開閉部材の回動端側、前記第２の印字ヘッドは前記開閉部材の中途部にそれぞれ取り付けられ、
前記第１の印字ヘッド及び前記第２のプラテンは、前記装置本体側に取り付けられ、
前記第１の印字ヘッドは前記第１のプラテンに対し、前記第１のバネ材によって前記開閉部材の開閉方向に対し直交する方向に押し付けられ、
前記フック部材はカム部を有し、ロック解除時に回動することにより前記カム部により前記第１のバネ材のバネ力に抗して前記第１の印字ヘッドを前記第１の印字ヘッドから離間する方向に移動させることを特徴とする請求項２記載の印刷装置。
【請求項４】
前記減速手段は、前記開閉部材に設けられた突起部と、前記開閉部材の開放時に前記突起部が当接されて回動する回動レバーと、この回動レバーに回動方向の負荷を付与する負荷付与部材とを具備することを特徴とする請求項１記載の印刷装置。
【請求項５】
前記回動レバーは前記開閉部材と同軸的に設けられたことを特徴とする請求項４記載の印刷装置。
【発明の詳細な説明】
【技術分野】
【０００１】
本発明は、用紙の両面に同時に印刷する印刷装置に関する。
【背景技術】
【０００２】
この種の印刷装置には、用紙の搬送路中に用紙搬送方向下流側に位置して第１の印字部、用紙搬送方向上流側に位置して第２の印字部を配置し、第１及び第２の印字部により用紙の両面に同時に印字するものがある。
【０００３】
第１の印字部は、印刷ヘッドとしての第１のサーマルヘッドと、この第１のサーマルヘッドに用紙搬送路を介して対向配置されて用紙を搬送する第１のプラテンローラとを備えて構成される。第２の印字部は、印刷ヘッドとしての第２のサーマルヘッドと、この第２のサーマルヘッドに用紙搬送路を介して対向配置されて用紙を搬送する第２のプラテンローラとを備えて構成される。第１及び第２のサーマルヘッド、さらに第１及び第２のプラテンローラは、それぞれ用紙搬送路の逆側に配位されて用紙の両面に同時に印字できるようになっている（例えば、特許文献１参照。）。
【特許文献１】米国特許第６，７８４,９０６号明細書
【発明の開示】
【発明が解決しようとする課題】
【０００４】
ところで、用紙はロール状をなして装置本体内に装填され、引き出されることにより、第１及び第２の印字部間に掛け渡されて使用される。この使用により用紙がなくなると、用紙を新たに交換する必要があるが、この場合には、装置本体の上面側の開閉部材を開放して用紙の交換を行なう。
【０００５】
しかしながら、従来においては、開閉部材の開放を全てオペレータの手によって行なっていたため、手間取るものとなっていた。
【０００６】
本発明は上記事情に着目してなされたもので、その目的とするところは、特別な操作を必要とすることなくワンタッチで開閉部材を開放できるようにした印刷装置を提供することを目的とする。
【課題を解決するための手段】
【０００７】
上記課題を解決するため、請求項１記載のものは、回動自在な開閉部材を有する装置本体と、この装置本体内に用紙搬送路を介して対向配置され、用紙の一面側に印刷する第１の印字ヘッド及び第１のプラテン、さらに用紙の他面側に印刷する第２の印字ヘッド及び第２のプラテンと、前記開閉部材の閉塞動作に基づいて圧縮されて前記第１及び第２の印字ヘッドを前記第１及び第２のプラテンに弾性的に押し付ける第１及び第２のバネ材と、前記開閉部材を閉塞位置にロックするロック手段と、このロック手段のロックを解除するロック解除手段と、このロック解除手段によって前記ロック手段のロックが解除されるのに基づいて前記開閉部材をバネ力によって開放させる開放用バネ材と、この開放用バネ材によって開放される前記開閉部材の開放速度を減速させる減速手段とを具備することを特徴とする。
【発明の効果】
【０００８】
本発明によれば、ワンタッチで開閉部材を開放することができ、用紙の交換作業が容易になる。
【発明を実施するための最良の形態】
【０００９】
以下、本発明を図面に示す実施の形態を参照して詳細に説明する。  
図１は本発明の一実施の形態である印刷装置を示すものである。
【００１０】
図中１は装置本体で、この装置本体１内には用紙２を供給するリール部３が設けられている。用紙２はその両面が感熱印刷面となっており、用紙搬送路４に沿って引き出されるようになっている。
【００１１】
用紙搬送路４中には第１及び第２の印字部６，７が配設されている。第１の印字部６は用紙２の搬送方向下流側に位置し、第２の印字部７は用紙２の搬送方向上流側に位置している。
【００１２】
第１の印字部６は、第１の印字ヘッドとしての第１のサーマルヘッド１０を有し、この第１のサーマルヘッド１０には用紙搬送路４を介して第１のプラテンローラ１１が対向配位されている。第１のサーマルヘッド１０はその下部側が支軸１０ａを介して本体フレーム側に回動自在に支持され、上部側が第１のバネ材としての第１のスプリング１３によって弾性的に押圧され、その発熱面を第１のプラテンローラ１１に圧接させている。第１のプラテンローラ１１は図示しない駆動機構により回転駆動されて用紙２を搬送するようになっている。
【００１３】
第２の印字部７は、第２の印字ヘッドとしての第２のサーマルヘッド２０を有し、この第２のサーマルヘッド２０には用紙搬送路４を介して第２のプラテンローラ２１が対向配置されている。第２のプラテンローラ２１は本体フレーム側に回転自在に取り付けられ、図示しない駆動機構によって回転駆動されて用紙２を搬送するようになっている。
【００１４】
第２のサーマルヘッド２０は、アッパーフレーム２３の下部側中央部に支軸２０ａを介して回動自在に取り付けられている。この第２のサーマルヘッド２０は、第２のバネ材としての第２のスプリング２２によって下方に弾性的に押圧され、その発熱面を第２のプラテンローラ２１に圧接させている。
【００１５】
アッパーフレーム２３はその一端部側が支軸２３ａを介して本体フレームに回動自在に支持され、このアッパーフレーム２３の回動端部側に上記した第１のプラテンローラ１１が回転自在に取り付けられている。
【００１６】
即ち、アッパーフレーム２３には、第１のプラテンローラ１１及び第２のサーマルヘッド２０が取り付けられ、本体フレーム側には第１のサーマルヘッド１０及び第２のプラテンローラ２１が取り付かれている。
【００１７】
また、アッパーフレーム２３の一端部側には開放用バネ材としてトグルバネ２４が設けられ、このトグルバネ２４のバネ力により、アッパーフレーム２３が上方へ回動されて開放されるようになっている。
【００１８】
また、アッパーフレーム２３の側面部には係止部材としての係止ピン２６が突設され、この係止ピン２６には、フック部材としてのフックレバー２７が係脱自在に係合されている。係止ピン２６とフックレバー２７とによってロック手段が構成されている。フックレバー２７はその下部側が支軸２７ａを介して回動自在に取り付けられ、フックレバー２７の一部には第１のサーマルヘッド１０に当接されるカム部２７ｃが一体的に形成されている。
【００１９】
一方、装置本体１の上面部には上面カバー３０が開閉自在に設けられ、この上面カバー３０と上記したアッパーフレーム２３とにより開閉部材２９が構成されている。上面カバー３０はアッパーフレーム２３と同軸的に設けられ、アッパーフレーム２３と一体に開閉される。
【００２０】
上面カバー３０にはロック解除手段としての操作ボタン３１が設けられ、操作ボタン３１の下端部にはテーパ面３１ａが形成されている。フックレバー２７の上端部には操作ボタン３１のテーパ面３１ａに対向するテーパ面２７ｂが形成されている。
【００２１】
上面カバー３０が閉じられた状態で操作ボタン３１が押し下げられると、そのテーパ面３１ａがフックレバー２７のテーパ面２７ｂに押し付けられてフックレバー２７が時計方向に回動されて係止ピン２６との係合を解除するとともに、そのカム部２７ｃによって第１のサーマルヘッド１０が押されて第１のプラテンローラ１１から離間されるようになっている。
【００２２】
また、上記したアッパーフレーム２３の支軸２３ａには図２に示すように、減速手段を構成する回動レバー３４が同軸的に設けられている。回動レバー３４の下部側には回動レバー３４を反時計方向の回動方向に付勢する負荷付与部材としてのスプリング３５が接続されている。
【００２３】
アッパーフレーム２３の側面部には、ゴム（ＮＢＲ）製の突起部３３が突設され、アッパーフレーム２３の開放時には突起部３３が回動レバー３４に当接するようになっている。
【００２４】
次に、上記したように構成される印刷装置の印刷動作について説明する。
【００２５】
図１に示すように用紙２が第１の印字部６と第２の印字部７との間に掛け渡された状態から第１及び第２のプラテンローラ１１，２１が図示しない駆動機構により図示矢印に回転駆動される。これにより、用紙２が図示矢印方向にフィードされ、第１のサーマルヘッド１０により用紙２の一面側に情報が印字されるとともに、第２のサーマルヘッド２０により用紙２の他面側に情報がそれぞれ同時に印字されることになる。
【００２６】
ところで、この印刷により用紙２が使用済みになると、用紙２を新たに補充する必要がある。
【００２７】
次に、用紙２の補充動作について説明する。
【００２８】
この場合には、まず、操作ボタン３１を押し下げる。これにより、操作ボタン３１の下部側のテーパ面３１ａによってフックレバー２７の上部側のテーパ面２７ｂが押されてフックレバー２７が支軸２７ａを中心として時計方向に回転される。この回転によりフックレバー２７が係止ピン２６から離脱されるとともに、カム部２７ｃによって第１のサーマルヘッド１０が押されて第１のスプリング１３の付勢力に抗して支軸１０ａを中心として時計方向に回動し第１のプラテンローラ１１から離間する。このロック解除により、第２のスプリング２２の反発力によりアッパーフレーム２３が支軸２３ａを中心として少し上方に回動されたのち、トグルバネ２４のバネ力により、さらに上方へ回動されて上面カバー３０とともに起立状態に開放される。
【００２９】
ところで、このアッパーフレーム２３の開放時には、アッパーフレーム２３の突起部３３が図３に示すように回動レバー３４の上部側に当接する。これにより、回動レバー３４が支軸３４ａを中心にして時計方向に回動するが、このときには、スプリング３５の付勢力が回動負荷として回動レバー３４に作用し、アッパーフレーム２３の開放時における勢いが、適切なスピードに減速されて上面カバー３０とともに開放されることになる。このように開放したのち、新たな用紙を装置本体１内に補充して用紙の交換を終える。
【００３０】
上記したように、この実施の形態によれば、操作ボタン３１を押し下げて係止ピン２６フックレバー２７との係合を解除するだけで、アッパーフレーム２３及び上面カバー３０を開放することができる。従って、オペレータは、操作ボタン３１を単に押下げるだけでよく、アッパーフレーム２３及び上面カバー３０の開放操作が容易になる。
【００３１】
また、アッパーフレーム２３の開放時には、アッパーフレーム２３の突起部３３を回動レバー３４に当接させて回動レバー３４をスプリング３５の付勢力に抗して回動させるため、アッパーフレーム２３の開放時にはスプリング３５の付勢力によりアッパーフレーム２３の開放速度が減速され、安全に開放させることが可能になる。
【００３２】
また、アッパーフレーム２３の開放時には、フックレバー２７のカム部２７ｃによって第１のサーマルヘッド１０を第１のスプリング１３の付勢力に抗して回動させて第１のプラテンローラ１１から離間させるため、第１のサーマルヘッド１０と第１のプラテンローラ１１との接触圧が開放負荷になることもなく、スムーズな開放が可能になる。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３４】
【図１】本発明の一実施の形態である印刷装置を示す概略的構成図。
【図２】図１の印刷装置の開閉カバーの開放速度を減速させるための減速機構を示す図。
【図３】図２の減速機構の動作状態を示す図。
【符号の説明】
【００３５】
２…用紙、４…用紙搬送路、１０…第１のサーマルヘッド（第１の印字ヘッド）、１１…第１のプラテンローラ、１３…第１のスプリング（第１のバネ材）、２０…第２のサーマルヘッド（第２の印字ヘッド）、２１…第２のプラテンローラ、２２…第２のスプリング（第２のバネ材）、２３…アッパーフレーム、２４…トグルバネ（開放用バネ材）、２６…係止ピン（係止部材）、２７…フックレバー（フック部材）、２８…ロック手段、２９…開閉部材、３０…上面カバー、３１…操作ボタン（ロック解除手段）、３４…回動レバー（減速手段）。
【図１】
2008006683.tif 000003
【図２】
2008006683.tif 000004
【図３】
2008006683.tif 000005